(57)【要約】【課題】撮影に失敗した撮影画像データのプリント、転送、保存を防止する。【解決手段】プリントシステム１０は、デジタルカメラ１１、写真プリンタ１２、メモリカード１３からなる。デジタルカメラ１１は被写体を撮影した撮影画像データと、この撮影画像データが撮影されたときの撮影条件データとをメモリカード１３に記憶する。メモリカード１３をデジタルカメラ１１から抜き取って写真プリンタ１２にセットすると、メモリカード１３から撮影画像データ及び撮影条件データが読み出され、撮影条件データに基づいて、成功画像データか失敗画像データかの判定が行われ、成功画像データのみが転送され、記録紙１４に撮影画像データが記録されて、写真プリント１５が排出される。【選択図】　　　　図１
2004032543.tif 000002
【特許請求の範囲】
【請求項１】
撮影された画像の撮影画像データ及びその画像が撮影されたときの撮影条件データを記憶した後、前記撮影画像データを読み出すとき、前記撮影条件データに基づいて、前記撮影画像データが、撮影に成功した成功画像データ、又は撮影に失敗した失敗画像データのいずれかであるかを判定する画像判定方法。
【請求項２】
前記撮影条件データは、複数の警告情報を含み、これらの警告情報のうち、いずれか１つでも警告ありを示している場合、撮影画像データは失敗画像データであると判定することを特徴とする請求項１記載の画像判定方法。
【請求項３】
被写体を撮影するデジタルカメラと、このデジタルカメラで撮影した画像の撮影画像データを記憶する電子記憶媒体から撮影画像データを読み出して記録媒体に画像をプリント出力するプリンタとからなるプリントシステムにおいて、
前記デジタルカメラは、前記画像が撮影されたときの撮影条件データを前記電子記憶媒体に記憶する撮影条件記憶手段を備えており、プリント出力を行うとき、前記撮影条件データに基づいて、前記撮影画像データが、撮影に成功した成功画像データ、又は撮影に失敗した失敗画像データのいずれかであるかを判定し、前記成功画像データのみをプリント出力することを特徴とするプリントシステム。
【発明の詳細な説明】
【０００１】
【発明の属する技術分野】
本発明は、画像判定方法に関する。特に、デジタルカメラなどによって撮影された画像（以下、撮影画像という）を入力し、その画像の良否を判定する画像判定方法及びプリントシステムに関するものである。
【０００２】
【従来の技術】
デジタルカメラで撮影された撮影画像データは、ＪＰＥＧ（Ｊｏｉｎｔ　Ｐｈｏｔｏｇｒａｐｈｉｃ　ｃｏｄｉｎｇ　ｅｘｐｅｒｔ　ｇｒｏｕｐ）形式などを用いて圧縮し、データ量を減らした状態にして電子記憶手段に記憶されている。この電子記憶手段としては、スマートメディア（登録商標）やコンパクトフラッシュ（登録商標）などの半導体メモリを用いたメモリカードが一般的である。このようなメモリカードは、デジタルカメラに設けられたスロットに着脱自在に装着されている。また、メモリカードに記憶された撮影画像データは、カードリーダなどを介してパーソナルコンピュータに転送することが可能であり、メモリカードに空き容量が無くなったときには、撮影画像データを消去して初期化を行うことによってメモリカードを繰り返し使用することが可能である。
【０００３】
近年、デジタルカメラのＣＰＵ処理速度の向上と、記憶手段として使用されるメモリカードの大容量化が進んでいる。これによって、１個のメモリカードに、より多くの枚数の撮影画像データを記憶することが可能となってきており、例えば、本出願人より製造・販売されているＦｉｎｅＰｉｘＳ６０２（商品名）の場合、１２８ＭＢのスマートメディア（登録商標）に１２８０×６４０の記録画素数、及び通常の画質モードで使用すると、３９８枚分の撮影画像データを記憶することができる。このため、デジタルカメラでは、撮影の失敗をしても銀塩カメラのようにフイルムの無駄を気にすることがないので、何度も撮り直しを行ってたくさんの撮影画像データをメモリカードに記憶させる撮影方法が一般的である。
【０００４】
一方、デジタルカメラで撮影した撮影した撮影画像データのプリント出力に使用するパーソナルユースのプリンタについても急速に普及しておきており、デジタルカメラからメモリカードを抜き取ってプリンタにセットし、プリント開始操作をするとメモリカードから撮影画像データを読み出して記録紙にプリントが行われる。このように、デジタルカメラ、プリンタ、着脱式のメモリカードからパーソナルユースのプリントシステムが構成されているのが一般的である。最近ではプリンタの高解像度化及び記録材料の改良によって、銀塩写真と同様の高画質なプリントを得ることが可能となっている。
【０００５】
このようなプリントシステムでは、デジタルカメラから抜き出したメモリカードを装着して、すぐにプリントを開始することができるという利点はあるものの、一方で、撮影に失敗した撮影画像データも同時にプリントしてしまう可能性もあった。そこで、特開平１０−２４３３２９号公報では、デジタルカメラに電子記憶手段としてのフラッシュメモリが装着されているとき、ＬＣＤ（液晶ディスプレイ）に撮影画像データを再生し、デジタルカメラに設けられた操作ボタンを操作することによってそれぞれの撮影画像データについて、転送又は非転送であるという転送情報をフラッシュメモリに入力し、プリンタなどへ撮影画像データを転送するときには、転送であると入力された撮影画像データのみ転送処理を行っている。
【０００６】
また、特開２００１−２５６４９８号公報では、デジタルカメラから抜き取られたメモリから撮影画像データを読み出したときに、この撮影画像データを画像判定装置でフイルタ処理し、合焦、明暗などを解析処理することによって、撮影に成功した合格画像、又は不合格画像のいずれかであるかを判定し、この判定結果が合格画像であるものだけをプリントしている。
【０００７】
【発明が解決しようとする課題】
しかしながら、上記特開平１０−２４３３２９号公報記載のデジタルスチル及び画像転送方法では、デジタルスチルカメラにフラッシュメモリが装着されているときに転送、又は非転送であるという選択入力を行う際に、撮影画像データをＬＣＤで再生して、目視によって確認を行わなければならず、ユーザーは手間のかかる作業をしなければならない。
【０００８】
また、上記特開２００１−２５６４９８号に記載されている画像判定方法では、合格画像か、不合格画像かを判定する画像判定装置が非常に複雑な解析処理を行わなければならないので、システム全体のコストを上昇させてしまうことになる。
【０００９】
前述した課題を解決するために、本発明は、撮影に失敗した失敗画像データを転送、保存又はプリントすることを防止し、成功画像データのみを転送、保存、又は転送を容易にできるようにする画像判定方法、又はプリントシステムをローコストに提供することを目的とする。
【００１０】
【課題を解決するための手段】
前記目的を達成するために、本発明の画像判定方法は、撮影された画像の撮影画像データ及びその画像が撮影されたときの撮影条件データを記憶した後、前記撮影画像データを読み出すとき、前記撮影条件データに基づいて、前記撮影画像データが、撮影に成功した成功画像データ、又は撮影に失敗した失敗画像データのいずれかであるかを判定している。
【００１１】
また、請求項２記載の画像判定方法では、前記撮影条件データは、複数の警告情報を含み、これらの警告情報のうち、いずれか１つでも警告ありを示している場合、撮影画像データは失敗画像データであると判定している。
【００１２】
請求項３記載のプリントシステムでは、被写体を撮影するデジタルカメラと、このデジタルカメラで撮影した画像の撮影画像データを記憶する電子記憶媒体から撮影画像データを読み出して記録媒体に画像をプリント出力するプリンタとからなるプリントシステムにおいて、前記デジタルカメラは、前記画像が撮影されたときの撮影条件データを前記電子記憶媒体に記憶する撮影条件記憶手段を備えており、プリント出力を行うとき、前記撮影条件データに基づいて、前記撮影画像データが、撮影に成功した成功画像データ、又は撮影に失敗した失敗画像データのいずれかであるかを判定し、前記成功画像データのみをプリント出力している。
【００１３】
【発明の実施の形態】
図１は、本発明に係るプリントシステムの構成を示す概略図である。プリントシステム１０は、デジタルカメラ１１、写真プリンタ１２、メモリカード１３から構成されている。プリントシステム１０は、デジタルカメラ１１で撮影した被写体画像をメモリカード１３にデジタルの撮影画像データとして記憶させる。メモリカード１３に記憶された撮影画像データは、写真プリンタ１２で記録紙１４にプリントされて写真プリント１５が得られる。なお、メモリカード１３としては、スマートメディア（登録商標）を使用している。
【００１４】
デジタルカメラ１１のカメラボディ１６の前面には、撮影レンズ１７を保持した鏡筒１８が、背面には、ＬＣＤ１９（図２参照）、各種操作ボタンなどが、上面には、レリーズボタン２０が設けられている。さらに、このカメラボディ２の側面には、メモリスロット２１の開閉蓋２２が設けられており、開閉蓋２２を開放状態とすると、メモリスロット２１にメモリカード１３を装着可能となる。
【００１５】
図２は、デジタルカメラ１１の電気的構成を示す。システムコントロ−ラ２５は、所定のシーケンスでデジタルカメラ１１の各部を制御する。入力部２６は、レリーズボタン２０，各種操作ボタンなどの操作に応じた操作信号をシステムコントローラ２５に送る。これらの操作信号に基づいて、システムコントローラ２５は、各部を制御して撮影のためのシーケンスを実行する。
【００１６】
撮影レンズ１７は、フォーカスレンズ１７ａ，及び絞り１７ｂを含んでいる。フォーカスレンズ１７ａ，絞り１７ｂは、詳細を後述するように、それぞれ対応するフォーカスモータ２７，絞り用モータ２８によって駆動される。
【００１７】
撮影レンズ１７の背後には、ＣＣＤイメージセンサ３０が配されている。ＣＣＤイメージセンサ３０は、ＣＣＤドライバ３１によって駆動され、光学的な被写体画像を電気的な撮影信号に変換して出力する。ＣＣＤイメージセンサ３０の各受光素子の電荷蓄積量（露光量）は、その電子シャッタと、絞り１７ｂとで調節される。
【００１８】
ＣＣＤイメージセンサ３０からの撮影信号は、アナログ処理回路３２に送られ、ゲイン調整，γ処理等が行われる。Ａ／Ｄ変換器３３は、アナログ処理回路３２で処理された撮影信号をＲＧＢの撮影画像データに変換する。Ａ／Ｄ変換器３３からの撮影画像データは、画像データ処理回路３４，ＡＥ処理回路３５，ＡＦ処理回路３６に送られる。
【００１９】
画像データ処理回路３４は、ＬＣＤ表示用のガンマ補正，解像度の変更，撮影画像データの記録時のデータ圧縮や読出し時のデータ伸張等のデータ処理を行う。撮影モード下では、処理済みの撮影画像データは、ＬＣＤドライバ３７に送られる。これにより、ＬＣＤ１９には撮影中の被写体画像が動画としてスルー表示され、ビューファインダとして使用することができる。
【００２０】
メモリＩ／Ｆ（メモリインターフェース）３８は、メモリスロット２１に装着されているメモリカード１３のデータの入出力を制御する。撮影モード下でレリーズボタン２０を押圧操作すると、その直後に得られる１フレーム分の撮影画像データがメモリＩ／Ｆ３８に送られ、メモリカード１３に記録される。この撮影画像データの形式としては例えば、画像データをデータ圧縮してから格納するＪＰＥＧ形式で記録している。
【００２１】
ＡＥ処理部３５は、Ａ／Ｄ変換器３３から出力される撮影画像データに基づいて、ＣＣＤイメージセンサ３０の露光量が適正となるようにＣＣＤイメージセンサ３０の電子シャッタのシャッタ速度と、絞り１７ｂの絞り値とをフィードバック制御する。まず、ＡＥ処理部３５はＣＣＤイメージセンサ３０の露光量がＡＥ連動可能な範囲内にあるか否かを判定する。すなわち、被写体輝度が明る過ぎたり、暗過ぎたりするときには、ＡＥ連動範囲外であると判定し、ＡＥ処理部３５は、シャッタ速度及び絞り値の制御を停止する。そして、ＣＣＤイメージセンサ３０の露光量がＡＥ連動範囲内にあるときには、予め設定されたプログラムに基づいて、シャッタ速度及び絞り値の制御を行う。さらに、ＡＥ処理部３５からシステムコントローラ２５へＡＥ連動範囲内にあるか否かの判定結果、及び電子シャッタのシャッタ速度、及び絞り１７ｂの絞り値が送信される。ＣＣＤイメージセンサ３０の電子シャッタは、ＣＣＤドライバ３１を介して制御される。そして、絞り１７ｂの絞り値は、ドライバ４１を介して絞り用モータ２８を駆動することによって行われる。絞り用モータ２８としては、ステッピングモータが用いられている。
【００２２】
ＡＦ処理部３６は、Ａ／Ｄ変換器３３から出力される撮影画像データに基づいて、被写体のピント状態を検出し、適正なピント状態となるようフォーカスレンズ１７ａを光軸方向に沿って前後に移動させる。このとき、被写体のピント状態がＡＦ連動可能な範囲外にあるとき、すなわち、焦点距離が、遠過ぎたり、又は近過ぎたりしたときには、ＡＦ連動範囲外であると判定し、フォーカスレンズ１７ａの移動を停止する。そして、焦点距離がＡＦ連動可能な焦点距離の範囲内にあるときには、ＡＦ連動範囲内であると判定し、予め設定されたプログラムに基づいた移動量でフォーカスレンズ１７ａを移動させる。さらに、ＡＦ処理部３６で判定されたＡＦ連動範囲内にあるか否かの判定結果、及び焦点距離の測定値は、システムコントローラ２５へ送信される。フォーカスレンズ１７ａの移動は、ドライバ４２を介してフォーカスモータ２７を駆動することによって行われる。フォーカスモータ２７としては、絞り用モータ２８と同様にステッピングモータが用いられている。
【００２３】
手ブレ検出部４３は、例えば角速度センサからなり、光軸と垂直な面の上下及び左右方向のブレを検出して、手ブレ処理部４４に送信する。手ブレ処理部４４では手ブレ検出部４３のブレ検出結果に基づいてブレ量を算出する。さらに、手ブレ処理部４４では、予め設定されたプログラムに基づいて、上述したブレ量が規定量の範囲内であるか否かを判定する。そして、この判定結果はシステムコントローラ２５へ送信される。
【００２４】
撮影条件データ処理回路４６では、ＡＥ連動範囲内であるか否かの判定結果、シャッタ速度、絞り値、ＡＦ連動範囲内であるか否かの判定結果、及び手ブレ量の判定結果などの情報が被写体を撮影した１フレーム分の各画像毎にシステムコントローラ２５から送信されてくる。そして、撮影条件データ処理回路４６では、これら各種情報に基づいて、撮影条件データを作成する。そして、この撮影条件データがメモリＩ／Ｆ３８に送られ、撮影画像データとともにメモリカード１３に記録される。
【００２５】
メモリカード１３は、高速でアクセスが可能なＤＲＡＭ（Ｄｙｎａｍｉｃ　ＲＡＭ）から構成されている。デジタルカメラ１１で撮影された撮影画像データは、図３に示すようなファイル構造で記録されており、デジタルカメラ１１で撮影された撮影画像データ及びその撮影条件データが撮影画像ファイルとして記録される。これら撮影画像ファイル１〜ｎはすべて撮影画像フォルダにまとめて格納される。各撮影画像ファイルは、例えば電子情報技術産業協会（ＪＥＩＤＡ）から発表された規格であるＥｘｉｆフォーマットで記録される。
【００２６】
Ｅｘｉｆフォーマットは、撮影画像データに加えてＥｘｉｆ　Ｔａｇデータが付加されたものである。撮影画像データは、上述したようにＪＰＥＧ形式で記録されるが、撮影画像データの形式としては、このＪＰＥＧ形式の他に、撮影画像データとこのデータのファイル内の格納位置などを示す情報を記録するＴａｇとからなるＴｉｆｆ（Ｔａｇｅｄ　Ｉｍａｇｅ　Ｆｉｌｅ　Ｆｏｒｍａｔ）形式を使用してもよい。さらに、Ｅｘｉｆフォーマットには、インデックス表示等に使用するためのサムネイル画像データを含めることもできる。
【００２７】
Ｅｘｉｆ　Ｔａｇデータには、撮影条件データ処理回路４６で作成された各種撮影条件データが書き込まれる。このＥｘｉｆ　Ｔａｇデータには、撮影日付、シャッタ速度、絞り値、露光量、レンズＦ値、焦点距離、ストロボ発光の有無などのＥｘｉｆフォーマット規格に沿ったＥｘｉｆ固有情報と、Ｍａｋｅｒ　Ｎｏｔｅ　Ｔａｇデータとが含まれる。Ｍａｋｅｒ　Ｎｏｔｅ　Ｔａｇデータとは、各カメラメーカーが自由にメーカー固有の情報を設定できるエリアであり、このエリアには、例えば撮影に使用した機種データなどが記録される。なお、撮影画像ファイルの形式はＥｘｉｆフォーマットに限るものではない。
【００２８】
本実施形態においては、Ｍａｋｅｒ　Ｎｏｔｅ　Ｔａｇに各種警告情報が書き込まれる。各種警告情報としては、上述したＡＥ処理部３１、ＡＦ処理部３２、手ブレ処理部４４での判定結果に基づいて、ＡＥ連動範囲外警告情報、ＡＦ連動範囲外警告情報、手ブレ警告情報が作成されており、それぞれ、警告あり、又は警告なしのフラグが書き込まれる。また、これら警告情報の他に、Ｍａｋｅｒ　Ｎｏｔｅ　Ｔａｇには、画質モード、撮影時シャープネス強度、ホワイトバランスモードなどの情報が書き込まれる。
【００２９】
撮影画像ファイルとして撮影画像データが記録されたメモリカード１３は、写真プリンタ１２のメモリスロット５１に装着されて、記録紙１４に画像が記録される。写真プリンタ１２の前面には、メモリスロット５１の他にカセット装填口５２が、上面には、モード切替ボタン５３ａを含む各種操作ボタン５３が配置された操作パネル５４が設けられている。モード切替ボタン５３ａは、全画像プリントモード、成功画像プリントモード、選択画像プリントモードのいずれかのモードに切り替えてプリントを実行するときに操作するものである。カセット装填口５２には、給紙カセット５５が着脱自在にセットされる。給紙カセット５５には、予め決められたサイズの記録紙１４が複数枚収納される。この給紙カセット５５から写真プリンタ１２の内部にへ記録紙１４が引き出され、撮影画像が記録される。記録紙１４に撮影画像が記録された写真プリント１５は、給紙カセット５５の上面に排紙される。
【００３０】
図４に写真プリンタ１２の電気的構成を示す。写真プリンタ１２は、メモリカード１３にアクセスしてデータの読み取り及び書き込みを行うメモリアクセス部５７と、データに基づいて画像のプリントを行うプリンタ部５８とが内蔵されており、これらメモリアクセス部５７及びプリンタ部５８は、システムコントローラ６０によって電気的な作動が全体的に管理されている。メモリアクセス部５７は、メモリＩ／Ｆ６１、判定回路６２、デジタル信号処理回路６３、内蔵メモリ６４からなる。
【００３１】
判定回路６２は、メモリスロット５１に装着されたメモリカード１３の各撮影画像ファイルをメモリＩ／Ｆ６１を介して読み込み、撮影に成功した成功画像データか、撮影に失敗した失敗画像データかを判定する。成功画像ファイルか、失敗画像ファイルかを判定する画像判定方法としては、各画像ファイルのＥｘｉｆＴａｇデータに書き込まれた撮影条件データのうちの各種警告情報に基づいて判定する。すなわち、上述したＡＥ連動範囲外警告情報、ＡＦ連動範囲外警告情報、手ブレ警告情報のうち、１つでも警告ありと書き込まれている画像ファイルについては失敗画像データであると判定し、全て警告なしと書き込まれている画像ファイルについては成功画像データであると判定する。
【００３２】
デジタル信号処理回路６３は、メモリＩ／Ｆ６１を介して転送されてきた画像ファイルについて、撮影画像データと撮影条件データを適宜読み込み、撮影画像データについてトリミング、回転処理、ホワイトバランス、明るさ、シャープネスの調整などの画像処理を行う。画像処理が終わった１画面分の撮影画像データは、プリントデータとして内蔵メモリ６４に書き込まれる。
【００３３】
プリンタ部５８は、ヘッドドライバ６５及びプリンタヘッド６３からなる。ヘッドドライバ６５は、内蔵メモリ６４に書き込まれたプリントデータに応じてプリンタヘッド６５を駆動し、記録紙１４に画像をプリントする。画像のプリントが終わった記録紙１４は、写真プリント１５と　して排紙口１１ｂから排出される。
【００３４】
次に、上記構成の作用について、図５に示すフローチャートを用いて説明する。まず撮影が終了したデジタルカメラ１１のメモリスロット２１からメモリカード１３を抜き取っておく、このときメモリカード１３には、上述したように複数の撮影画像ファイルからなる撮影画像フォルダが記憶された状態となっている。そしてメモリカード１３を写真プリンタ１２のメモリスロット５１にセットする。メモリスロット５１にメモリカード１３がセットされ、モード切替ボタン５３ａを操作して各プリントモードの切り替えを行った後、操作ボタン５３を押操作してプリント開始を指示する。選択画像プリントモードが選択されたときには、１枚ずつの撮影画像データとＥ　ｘｉｆ　　Ｔａｇデータとが読み込まれる。ユーザーは写真プリンタ１２に接続されたモニタ、又はデジタルカメラ１１のＬＣＤ１９に再生された撮影画像を目視によって確認しながらプリントの実行、又は不実行を選択し、プリント実行を選択した撮影画像ファイルのみ写真プリント１５の記録を行っていく。そして、この作業を１枚の撮影画像ファイルごとに繰り返していき、全ての撮影画像データについてのプリント処理が終了する。
【００３５】
一方、全画像プリントモード、又は成功画像プリントモードが選択されたときには、モニタ又はＬＣＤ１９に画像を再生することなく、一括でプリント処理が実行されていく。このとき、全画像プリントモードが選択されているときには、判定回路６３での判定を行わず、全ての撮影画像ファイルにおいて、撮影画像データとＥ　ｘｉｆ　Ｔａｇデータとが読み込まれ、内蔵メモリ６４にプリントデータの書き込みが行われて全ての撮影画像データがプリントされ写真プリント１５が記録される。
【００３６】
そして、成功画像プリントモードが選択されたときには、まず全ての撮影画像ファイルにおいて、判定回路６２での成功画像データ、又は失敗画像データかの判定を行って、成功画像データのみ、内蔵メモリ６４へプリントデータが書き込まれて、成功画像データの撮影画像データがプリントされて写真プリント１５が記録される。このようにして、失敗画像データのプリントを容易に防止し、大量のプリント処理を一括で行うことが可能となる。さらに、撮影画像データが、成功画像データ、又は失敗画像データのいずれかであるかの判定に複雑な処理を必要としないので、プリントシステム１０全体のローコスト化を図ることができる。
【００３７】
なお、上記例においては、撮影画像データと同じ撮影画像ファイルにあるＥｘｉｆ　ＴａｇデータのＭａｋｅｒ　Ｎｏｔｅ　Ｔａｇデータの中に書き込まれた各種警告情報を使用して、撮影画像データの判定を行っているが、本発明はこれに限らず、他の撮影条件データを使用して判定を行ってもよく、例えば、Ｅｘｉｆ　ＴａｇデータのＭａｋｅｒ　Ｎｏｔｅ　Ｔａｇデータではなく、Ｅｘｉｆ固有情報の中に各種警告情報を設定してもよいし、Ｅｘｉｆ固有情報にすでに設定されている撮影条件データから判定をおこなってもよい。この場合、例えば、Ｅｘｉｆ固有情報にすでに設定されている撮影条件データのうち、例えば焦点距離、ストロボ発光の有無を読み込み、焦点距離が短い測定値であるにもかかわらずストロボ発光の有るものは失敗画像データであると判定するなど、各種撮影条件データを適宜組み合わせて判定を行うとよい。
【００３８】
あるいは、撮影条件データを書き込むためのファイル構造としては、上述したように撮影画像データと同じファイルに書き込むものではなく、メモリカード１３の中に撮影画像フォルダとは別の撮影条件フォルダを作成し、この撮影条件フォルダの中に、各撮影画像データに対応した撮影条件データを書き込んでいくようにしてもよい。
【００３９】
なお、上記実施形態では、デジタルカメラ１１、写真プリンタ１２、メモリカード１３からなるプリントシステムを例に上げて説明しているが、本発明はこれに限らず、デジタルカメラ１１から抜き取ったメモリカード１３を写真プリンタ１２以外の外部機器、例えばパーソナルコンピュータにカードリーダを介して接続するときも、同様の画像判定方法で成功画像データか、失敗画像データかを判定し、成功データのみをパーソナルコンピュータへ転送・保存したり、ＣＤ−Ｒや、ＭＯなど他の記録メディアへ記録するようにしてもよい。また、デジタルカメラ１１に判定回路６２を内蔵させて、このデジタルカメラ１１で判定された成功画像データのみを外部機器へ転送させるようにしてもよい。
【００４０】
また、上記実施形態では、撮影画像ファイルや撮影条件データなどを記憶するためのメモリカード１３にスマートメディア（登録商標）を用いた例について説明しているが、本発明はこれに限らず、コンパクトフラッシュ（登録商標）など他の記憶メディアを用いてもよい。
【００４１】
さらにまた、上記実施形態では、デジタルカメラ、プリンタ、着脱式のメモリカードからなるパーソナルユースのプリントシステムを例に上げて説明しているが、本発明はこれに限らず、撮影画像データ及び撮影条件データを記憶させた画像記憶手段としてのメモリカード、又はデジタルカメラを店頭に持ち込んで、プリンタラボなどでプリントするプリントシステムに適用することもできる。
【００４２】
【発明の効果】
以上詳細に説明したように、本発明の画像判定方法では、撮影された画像の撮影画像データ及びその画像が撮影されたときの撮影条件データを記憶した後、前記撮影画像データを読み出すとき、前記撮影条件データに基づいて、前記撮影画像データが、撮影に成功した成功画像データ、又は撮影に失敗した失敗画像データのいずれかであるかを判定しているので、成功画像データのみを容易にかつローコストに判定することができる。
【００４３】
請求項３記載のプリントシステムでは、被写体を撮影するデジタルカメラと、このデジタルカメラで撮影した画像の撮影画像データを記憶する電子記憶媒体から撮影画像データを読み出して記録媒体に画像をプリント出力するプリンタとからなり、デジタルカメラは、画像が撮影されたときの撮影条件データを電子記憶媒体に記憶する撮影条件記憶手段を備えており、プリント出力を行うとき、撮影条件データに基づいて、撮影画像データが、撮影に成功した成功画像データ、又は撮影に失敗した失敗画像データのいずれかであるかを判定し、成功画像データのみをプリント出力しているので、画像データの判定を容易にかつローコストに行うことが可能であり、無駄な失敗画像データのプリントを行うことがなく、大量のプリント処理を一括で行うことができる。
【図面の簡単な説明】
【図１】プリントシステムの外観斜視図である。
【図２】デジタルカメラの電気的構成を示すブロック図である。
【図３】撮影画像ファイルのデータ構造を示す説明図である。
【図４】写真プリンタの電気的構成を示すブロック図である。
【図５】プリント処理を行うときのシーケンスを示すフローチャートである。
【符号の説明】
１０　プリントシステム
１１　デジタルカメラ
１２　写真プリンタ
１３　メモリカード
【図１】
2004032543.tif 000003
【図２】
2004032543.tif 000004
【図３】
2004032543.tif 000005
【図４】
2004032543.tif 000006
【図５】
2004032543.tif 000007